(57)【特許請求の範囲】
【請求項１】
幅広の選別面を回行方向（イ）と幅方向（ロ）の双方に傾けた１次選別ベルト（１）を数段に架設してなる１次選別部（Ａ）と、その１次選別部（Ａ）の下方に選別面を回行方向（ハ）のみに傾けて１次選別ベルト（１）の回行終端部に運ばれて取出される不完全粒等を再選別する２次選別ベルト（２）により２次選別部（Ｂ）を構成してなるもので、前記１次選別部（Ａ）を、その１次選別ベルト（１）の回行終端部の高位がわを相対峙させて２つの１次選別部（Ａ）を並設し、双方の１次選別部（Ａ）における１次選別ベルト（１）の幅方向（ロ）の低位がわに転がって取出される選出がわを機体の同一がわにしたことを特徴とする大豆選別機。
【請求項２】
２次選別ベルト（２）の回行方向（ハ）を前記１次選別ベルト（１）の幅方向（ロ）と同方向にして、回行終端部の高位がわを双方の１次選別部（Ａ）の１次選別ベルト（１）の幅方向（ロ）の低位がわから取出される選出がわと同じがわにしたことを特徴とする請求項１記載の大豆選別機。
【請求項３】
双方の１次選別部（Ａ）に揚上する昇降機（３）と、この揚上の前過程において含有する塵埃を除去する吸塵ファン（４）を各別に設けて対称的に配置し、各昇降機（３）のバケット軸（５）と吸塵ファン（４）の軸（６）とをそれぞれ１本の軸により共用化し、且つ、２次選別モータ（２４）により前記各昇降機（３）のバケット軸（５）と吸塵ファン（４）の軸（６）を駆動することを特徴とする請求項１記載の大豆選別機。
【請求項４】
並設した双方の１次選別部（Ａ）における１次選別ベルト（１）を２次選別モータ（２４）とは別の１次選別モ−タ（７）により駆動させる構成にしたことを特徴とする請求項３記載の大豆選別機。
【発明の詳細な説明】
【０００１】
【発明の属する技術分野】
本発明は、幅広の選別面を回行方向と幅方向の双方に傾けた１次選別ベルトを数段に架設してなる１次選別部と、その１次選別部の下方に選別面を回行方向のみに傾けて１次選別ベルトの回行終端部に運ばれて取出される不完全粒等を再選別する２次選別ベルトによりなる２次選別部とから構成されている大豆選別機に関するものである。
【０００２】
【従来の技術】
従来、冒頭に記載する大豆選別機は公知であって、その１次選別ベルトを数段に架設して選別能力の向上を目指しているが、現段階では高能力のものを望む需要家の期待にそい得てない状況下にある。
【０００３】
【発明が解決しようとする課題】
この発明は、このような状況下にあって需要家の期待にそい得べく、一段と高能力のものにし、併せて取扱性がよく駆動系統も単純化しコスト安のものを具現しようとするものである。
【０００４】
【課題を解決するための手段】
本発明は、幅広の選別面を回行方向と幅方向の双方に傾けた１次選別ベルトを数段に架設してなる１次選別部と、その１次選別部の下方に選別面を回行方向のみに傾けて１次選別ベルトの回行終端部に運ばれて取出される不完全粒等を再選別する２次選別ベルトにより２次選別部を構成してなるもので、前記１次選別部を、その１次選別ベルトの回行終端部の高位がわを相対峙させて２つの１次選別部を並設し、双方の１次選別部における１次選別ベルトの幅方向の低位がわに転がって取出される選出がわを機体の同一がわにしたので、２つの１次選別部の並設により高能力のものが具現し、その場合、双方の１次選別部で選出された完全粒が機体の同じがわに取出されて次行程への搬送が容易になる。
【０００５】
また、２次選別ベルトの回行方向を前記１次選別ベルトの幅方向と同方向にして、回行終端部の高位がわを双方の１次選別部の１次選別ベルトの幅方向の低位がわから取出される選出がわと同じがわにしたことにより、双方の１次選別部で選別されて幅方向の低位がわから取出される完全粒と、２次選別部で選別されて回行終端部から取出されるものとが機体の同じがわに取出されるから、選別状態の判断と確認がし易いようになる。
【０００６】
双方の１次選別部に揚上する昇降機と、この揚上の前過程において含有する塵埃を除去する吸塵ファンを各別に設けて対称的に配置し、各昇降機のバケット軸と吸塵ファンの軸とをそれぞれ１本の軸により共用化し、且つ、２次選別モータにより前記各昇降機のバケット軸と吸塵ファンの軸を駆動すれば、駆動系統が簡素になって単純化するのである。
【０００７】
更に、並設した双方の１次選別部における１次選別ベルトを２次選別モータとは別の１次選別モ−タにより駆動させる構成にすると、並設した双方の１次選別部における各１次選別ベルトの駆動が簡単に行える。
【０００８】
【発明の実施の形態】
【実施例】
以下、本発明による大豆選別機につき実施例図を参照し具体的に説明すると、図１は大豆選別機の後方視図、図２は同選別機の左側面図、図３は同選別機の前方視図であって、（１）は一定の軸間距離をおいて前後方向に横架するロ−ラ（８）（８）に掛け廻した幅広の選別面を有する１次選別ベルトで、その１次選別ベルトの選別面は回行方向（イ）の終端部を始端部より高位にするとともに、幅方向（ロ）の前部がわ則ち終端がわを、後部がわ則ち始端がわより低位にして、回行方向（イ）と幅方向（ロ）の双方に適宜傾け、この適宜傾けた１次選別ベルト（１）を４段に積み重ねた状態にして左側の１次選別部（Ａ）が構成されている。
【０００９】
前記左側の１次選別部（Ａ）の隣りには右側の１次選別部（Ａ）が並設され、その右側の１次選別部（Ａ）は左側のものと同様に構成されて回行方向（イ）と幅方向（ロ）の双方に傾けた１次選別ベルト（１）を４段に架設してある。そして、この双方の１次選別部（Ａ）（Ａ）は各１次選別ベルト（１）の回行終端部である高位がわを相対峙させて並設し、その各１次選別ベルト（１）の幅方向（ロ）の低位がわを機体の前方がわにして同じがわにしてある。
【００１０】
また、双方の１次選別部（Ａ）（Ａ）はそれぞれ傾斜角度調整具を備えて枠体（１０）上に載置された構体（９）（９）内に内装されて、１次選別ベルト（１）は回行方向（イ）と幅方向（ロ）の傾き度合いが調整可能になっている。
【００１１】
次に、前記１次選別部（Ａ）（Ａ）の下方における枠体（１０）内には、それぞれ所定の軸間距離をおいて左右方向に横架するロ−ラ（１１）（１１）に掛け廻して回行方向（ハ）を前記１次選別ベルト（１）の幅方向（ロ）と同方向にした２次選別ベルト（２）が設けられ、その２次選別ベルト（２）は後部がわ即ち回行方向（ハ）の終端部を、前部がわ即ち始端部より高位にして傾けることによって２次選別部（Ｂ）（Ｂ）を構成している。
【００１２】
そして、前記１次選別部（Ａ）（Ａ）における各１次選別ベルト（１）の回行終端部を通路（１２）と樋（１３）とによって２次選別ベルト（２）の選別面上にそれぞれ連通して、１次選別ベルト（１）の回行終端部に運ばれて取出される砕粒などの不完全粒等を２次選別部（Ｂ）によって再選別するのである。
【００１３】
また、図中、（１４）（１４）は前記構体（９）（９）の後部に一体的に取着した集合樋で、各１次選別ベルト（１）の幅方向（ロ）の低位がわに選出され取出される完全粒をそれぞれ集合し、（１５）はこの集合した完全粒を合流させて取出す取出樋であり、（１６）は枠体（１０）の前面に取り付けられた受樋で、双方の２次選別部（Ｂ）（Ｂ）における２次選別ベルト（２）の回行終端部にもちあげられて取出されるものを集合して取出し、（１７）は選別面を転がって回行始端部からそれぞれ落下するものを受けて集合し排出する排出樋であって、この排出樋（１７）の排出口（１７ａ）は前記取出樋（１５）及び受樋（１６）と同じがわの機体の前部がわに開口している。
【００１４】
前記の枠体（１０）前部の両側部がわには各１次選別部（Ａ）に選別物を供給するバケット付き昇降機（３）（３）を立設し、その昇降機（３）（３）によって挟まれるように各昇降機（３）に選別物を供給するタンク（１８）（１８）が設けれ、各タンク（１８）と昇降機（３）の間には選別物中に含有する茎の切れや莢殻などの塵埃を吸引し排出する吸塵ファン（４）を設けてあって、これら昇降機（３）（３）とタンク（１８）（１８）及び吸塵ファン（４）（４）はそれぞれ左右対称的に配置されている。
【００１５】
前記のタンク（１８）（１８）には選別物中に混在する長手の茎をとる格子状の網（１９）を張設し、底部の落下口部にリ−ドロ−ラ（２０）を設け、前記吸塵ファン（４）（４）の吸塵口（４ａ）をリ−ドロ−ラ（２０）がわに向けて開口し、選別物中に含有する塵埃を吸塵して枠体（１０）の下部内を前方に延設した排塵パイプ（２１）によって排塵するようにし、昇降機（３）（３）によって揚上されたものは図１と図２に仮想線で示すように、１次選別部（Ａ）（Ａ）における各段の１次選別ベルト（１）の幅方向（ロ）始端部の選別面上に配分して供給されるのである。
【００１６】
なお、（２２）は各１次選別ベルト（１）の幅方向（ロ）の始端部から終端部にかけて斜設され、昇降機（３）により揚上されて始端部に供給された選別物を終端部に向けて誘導する棒状の案内部材を示してあって、この案内部材（２２）によって誘導されていく間に、砕粒などの不完全粒等が選別面に停止した状態で回行終端部にもちあげられ、完全粒は幅方向（ロ）の終端がわに転がるようになって選別されるのである。
【００１７】
そこで、この大豆選別機の動力伝達手段について図４と図５により記載するのであるが、図１と図２にも図示してあるように、前記昇降機（３）（３）のバケット軸（５）（５）と吸塵ファン（４）（４）の軸（６）及び２次選別ベルト（２）のロ−ラ（１１）の軸（２３）は互いに一方がわから他方がわに延長してそれぞれ１本の軸を兼用して共用化し、２次選別モ−タ（２４）からベルト（２５）を介して中間軸（２６）と吸塵ファン（４）の軸（６）を駆動し、また、中間軸（２６）からチエン（２７）によりバケット軸（５）とロ−ラ（１１）の軸（２３）を伝動するとともに、バケット軸（５）からチエン（２８）とギヤボックス（２９）を介してリ−ドロ−ラ（２０）をそれぞれ回転させ、それぞれ所定回転の動力を供給している。
【００１８】
また、左側の１次選別部（Ａ）の１次選別ベルト（１）には前記２次選別モ−タ（２４）と独立した１次選別モ−タ（７）からチエン（３０）と（３１）を介して伝動し、右側の１次選別部（Ａ）における１次選別ベルト（１）はチエン（３２）によって連動させ、左側の１次選別部（Ａ）から右側の１次選別部（Ａ）へ動力を伝達させるのに、傾斜角度調整の際に位置変動の小なる支持がわに設けた出力軸（３３）と入力軸（３４）にチエン（３５）を掛け廻すとともに、左側のものの最下段の１次選別ベルト（１）からチエン（３６）により出力軸（３３）を回転させ入力軸（３４）からチエン（３７）によって右側の最下段の１次選別ベルト（１）に伝達している。
【００１９】
なお、前記２次選別ベルト（２）を有する２次選別部（Ｂ）は、例図のものでは双方の１次選別部（Ａ）の下方にそれぞれ設けているが、１つのものにして２次選別ベルト（２）の幅を広くしてもよいのである。
【００２０】
また、図６と図７に示したものは、前記の１次選別部（Ａ）（Ａ）によって選別され取出樋（１５）により取出される完全粒を粒形の大小に選別する粒大選別機で、取出樋（１５）から流出するものを受ける漏斗（３８）付きのバケット式揚穀機（３９）と、細目の選別孔をもつ大径回転選別筒（４０）内に太目の選別孔をもち大径回転選別筒（４０）より稍々長手の小径回転選別筒（４１）を挿入して緩傾斜状態にしたものを並設し、その小径回転選別筒（４１）から大径回転選別筒（４０）を漏出するものを合流して受ける受樋（４２）と、小径回転選別筒（４１）を漏出し大径回転選別筒（４０）を漏出しないものを集合して受ける受樋（４３）と、小径回転選別筒（４１）を漏出いないものを受ける受樋（４４）及び各受樋（４２）（４３）（４４）の出口に自動計量具（４５）を備えたものである。
【００２１】
したがって、取出樋（１５）から漏斗（３８）に流入し揚穀機（３９）によって揚上されて並設する小径回転選別筒（４１）内に分配供給された完全粒は小径回転選別筒（４１）と大径回転選別筒（４０）により選別されて大粒・中粒・小粒の３種類に選別されそれぞれ所定の量に計量されるのである。
【００２２】
【発明の効果】
本発明は、以上説明したような形態で実施され、次に記載するような効果を奏する。
【００２３】
即ち、幅広の選別面を回行方向と幅方向の双方に傾けた１次選別ベルトを数段に架設してなる１次選別部と、その１次選別部の下方に選別面を回行方向のみに傾けて１次選別ベルトの回行終端部に運ばれて取出される不完全粒等を再選別する２次選別ベルトにより２次選別部を構成してなるもので、前記１次選別部を、その１次選別ベルトの回行終端部の高位がわを相対峙させて２つの１次選別部を並設し、双方の１次選別部における１次選別ベルトの幅方向の低位がわに転がって取出される選出がわを機体の同一がわにしたことによって、２つの１次選別部の並設により高能力のものが具現でき、しかも、双方の１次選別部で選出された完全粒が機体の同じがわに取出されるから次行程への搬送が容易になる。
【００２４】
また、２次選別ベルトの回行方向を前記１次選別ベルトの幅方向と同方向にして、回行終端部の高位がわを双方の１次選別部の１次選別ベルトの幅方向の低位がわから取出される選出がわと同じがわにしたことにより、双方の１次選別部で選別されて幅方向の低位がわから取出される完全粒と、２次選別部で選別されて回行終端部から取出されるものとが機体の同じがわに取出されるので、選別状態の判断と確認がし易くなる。
【００２５】
そして、双方の１次選別部に揚上する昇降機と、この揚上の前過程において含有する塵埃を除去する吸塵ファンを各別に設けて対称的に配置し、各昇降機のバケット軸と吸塵ファンの軸とをそれぞれ１本の軸により共用化し、且つ、２次選別モータにより前記各昇降機のバケット軸と吸塵ファンの軸を駆動することによって駆動系統が簡素になって単純化するのである。
【００２６】
更に、並設した双方の１次選別部における１次選別ベルトを２次選別モータとは別の１次選別モ−タにより駆動させることにより、並設した双方の１次選別部における各１次選別ベルトの駆動が簡単に行える。
【図面の簡単な説明】
【図１】大豆選別機の後方視図である。
【図２】同選別機の左側面図である。
【図３】同選別機の前方視図である。
【図４】動力伝達手段を示す平面図である。
【図５】１次選別部の動力伝達手段を示す後方視である。
【図６】粒大選別機の側面図である。
【図７】同選別機の正面図である。
【符号の説明】
Ａ    １次選別部
Ｂ    ２次選別部
１    １次選別ベルト
２    ２次選別ベルト
３    昇降機
４    吸塵ファン
５    バケット軸
６    軸
７    １次選別モ−タ
イ    回行方向
ロ    幅方向
ハ    回行方向
【図１】
0003996270.tif 000002
【図２】
0003996270.tif 000003
【図３】
0003996270.tif 000004
【図４】
0003996270.tif 000005
【図５】
0003996270.tif 000006
【図６】
0003996270.tif 000007
【図７】
0003996270.tif 000008